(57)【要約】  屈曲部で折り曲げられて長手方向に延び、互いに対向する板状の一対の挟持片から構成されており、当該挟持片の屈曲部に対向する側の端縁にそれぞれ挟持面が対向して形成されている毛抜きにおいて、使用する際に、挟持面が形成されている側の端縁が前記長手方向に交差する上下方向にズレて目的とする無駄毛などをうまく挟めなくなるという問題を解決する。  屈曲部の肉厚の大きさが、屈曲部以外の部分における一対の挟持片の肉厚の大きさと同じまたはそれ以上であって、一対の挟持片は屈曲部と挟持面が形成されている端縁との間に肉厚が薄くなっている肉薄部をそれぞれ備えている。
2012004885.tif 000002
【特許請求の範囲】
【請求項１】
屈曲部で折り曲げられて長手方向に延び、互いに対向する板状の一対の挟持片から構成されており、当該挟持片の屈曲部に対向する側の端縁にそれぞれ挟持面が対向して形成されている毛抜きにおいて、
前記屈曲部の肉厚の大きさが、前記屈曲部以外の部分における前記一対の挟持片の肉厚の大きさと同じまたはそれ以上であって、
前記一対の挟持片は、前記屈曲部と前記挟持面が形成されている端縁との間に肉厚が薄くなっている肉薄部をそれぞれ備えている
ことを特徴とする毛抜。
【請求項２】
前記挟持面が形成されている前記一対の挟持片のそれぞれの端縁の、前記長手方向に交差する方向における少なくともどちらか一方の頂端が面取りされている
ことを特徴とする請求項１記載の毛抜き。
【発明の詳細な説明】
【技術分野】
【０００１】
この発明は無駄毛やトゲなどを抜く際に使用される毛抜きに関する。
【背景技術】
【０００２】
従来の一般的な毛抜きを図１を用いて説明する。【０００３】
毛抜き１は、屈曲部２で折り曲げられて長手方向に延び、互いに対向する板状の一対の挟持片３ａ、３ｂから構成されている。そして、挟持片３ａ、３ｂの屈曲部２に対向する側の端縁４ａ、４ｂにそれぞれ挟持面５ａ、５ｂが対向して形成されているのが一般的である。【０００４】
使用する際には、指で挟持片３ａ、３ｂを摘まんで、弾性力に抗しながら、端縁４ａ、４ｂを矢印６ａ、６ｂ方向に接近させる。こうして、挟持面５ａ、５ｂに無駄毛などを挟んで抜き取る。なお、この際の弾性力は、板状の一対の挟持片３ａ、３ｂが屈曲部２で折り曲げられて長手方向に延び、互いに対向しているという構造によって発揮されている。【０００５】
このような毛抜きに関しては従来から種々の提案がされている（特許文献１、２）。
【先行技術文献】
【特許文献】
【０００６】
【特許文献１】特開２００７−８２９２３号公報
【特許文献２】特開２００７−２２９３８６号公報
【発明の概要】
【発明が解決しようとする課題】
【０００７】
従来の毛抜きにおいては、弾性力の確保と、スムーズに使用できるようにする目的で、屈曲部２の肉厚Ｗ１を、屈曲部２以外の部分における挟持片３ａ、３ｂの肉厚Ｗ２より小さくしているのが一般的であった。【０００８】
このようにＷ１＜Ｗ２の構造の場合、指で挟持片３ａ、３ｂを摘まんで端縁４ａ、４ｂを矢印６ａ、６ｂ方向に接近させようとすると、屈曲部２が肉薄であることから、端縁４ａ、４ｂが矢印７ａ、７ｂ方向、あるいはその逆方向にそれぞれズレてしまうことがあった。このように、端縁４ａ、４ｂが挟持片３ａ、３ｂが延びている長手方向に交差する上下方向にズレてしまうと、挟持面５ａ、５ｂで目的とする無駄毛などをうまく挟めなくなるという問題があった。【０００９】
そこで、この発明は、屈曲部で折り曲げられて長手方向に延び、互いに対向する板状の一対の挟持片から構成されており、当該挟持片の屈曲部に対向する側の端縁にそれぞれ挟持面が対向して形成されている毛抜きにおいて、使用する際に、挟持面が形成されている側の端縁が前記長手方向に交差する上下方向にズレて、目的とする無駄毛などをうまく挟めなくなるという問題を解決できる毛抜きを提案することを目的にしている。
【課題を解決するための手段】
【００１０】
請求項１記載の発明は、
屈曲部で折り曲げられて長手方向に延び、互いに対向する板状の一対の挟持片から構成されており、当該挟持片の屈曲部に対向する側の端縁にそれぞれ挟持面が対向して形成されている毛抜きにおいて、
前記屈曲部の肉厚の大きさが、前記屈曲部以外の部分における前記一対の挟持片の肉厚の大きさと同じまたはそれ以上であって、
前記一対の挟持片は、前記屈曲部と前記挟持面が形成されている端縁との間に肉厚が薄くなっている肉薄部をそれぞれ備えている
ことを特徴とする毛抜きである。【００１１】
請求項２記載の発明は、
前記挟持面が形成されている前記一対の挟持片のそれぞれの端縁の前記長手方向に交差する方向における少なくともどちらか一方の頂端が面取りされている
ことを特徴とする請求項１記載の毛抜きである。
【発明の効果】
【００１２】
この発明によれば、屈曲部で折り曲げられて長手方向に延び、互いに対向する板状の一対の挟持片から構成されており、当該挟持片の屈曲部に対向する側の端縁にそれぞれ挟持面が対向して形成されている毛抜きにおいて、使用する際に、挟持面が形成されている側の端縁が前記長手方向に交差する上下方向にズレて、目的とする無駄毛などをうまく挟めなくなるという事態が発生することを未然に防止できる。これによって、使い勝手の良い毛抜きを提供することができる。【００１３】
更に、前記挟持面が形成されている前記一対の挟持片のそれぞれの端縁の、前記長手方向に交差する方向における少なくともどちらか一方の頂端が面取りされている本発明の毛抜きによれば、無駄毛などを抜く際に皮膚を傷つけるおそれがなくなる。
【図面の簡単な説明】
【００１４】
【図１】従来の毛抜きの一例を説明する斜視図。
【図２】（ａ）本発明の毛抜きの一例を説明する斜視図、（ｂ）挟持片に形成されている肉薄部を説明する一部を省略した平面図。
【図３】（ａ）本発明の毛抜きの側面図、（ｂ）本発明の毛抜きの平面図。
【図４】（ａ）本発明の毛抜きの端縁を説明する拡大側面図、（ｂ）本発明の毛抜きの端縁を説明する拡大平面図、（ｃ）本発明の毛抜きの端縁を説明する拡大正面図。
【発明を実施するための形態】
【００１５】
以下、添付図面を参照して本発明の好ましい実施形態を説明する。
【００１６】
なお、図１を用いて説明した従来の毛抜き１と共通している構成要素については共通している符号をつけてその説明を省略する。
【００１７】
本発明の毛抜き１１は、屈曲部２で折り曲げられて長手方向に延び、互いに対向する板状の一対の挟持片３ａ、３ｂから構成されている（図２（ａ）、図３（ｂ））。そして、挟持片３ａ、３ｂの屈曲部２に対向する側の端縁４ａ、４ｂにそれぞれ挟持面５ａ、５ｂが対向して形成されている（図３（ｂ）、図４（ｂ））。
【００１８】
本発明の毛抜き１１においては、屈曲部２の肉厚Ｗ１の大きさが、屈曲部２以外の部分における一対の挟持片３ａ、３ｂの肉厚Ｗ２の大きさと同じまたはそれ以上になっている（図２（ａ）、（ｂ）、図３（ｂ））。
【００１９】
また、一対の挟持片３ａ、３ｂは、屈曲部２と挟持面５ａ、５ｂが形成されている端縁４ａ、４ｂとの間に肉厚Ｗ３がそれ以外の部分における挟持片３ａ、３ｂの肉厚Ｗ２より薄くなっている肉薄部１０ａ、１０ｂをそれぞれ備えている。
【００２０】
毛抜き１１を使用する場合、指で挟持片３ａ、３ｂを摘まんで、図３（ｂ）に図示されているように、端縁４ａ、４ｂを矢印６ａ、６ｂ方向に接近させ、対向する挟持面５ａ、５ｂの間に抜き取るべき無駄毛などを挟む。そして、無駄毛を抜き取った後、挟持片３ａ、３ｂに与えていた力を解除すると、端縁４ａ、４ｂは矢印６ａ、６ｂと反対の方向にそれぞれ移動し、図２（ａ）、図３（ｂ）図示の最初の状態に戻る。
【００２１】
挟持片３ａ、３ｂに力を加えることによって端縁４ａ、４ｂが矢印６ａ、６ｂ方向に接近して対向する挟持面５ａ、５ｂの間に抜き取るべき無駄毛などが挟まれる際、また、挟持片３ａ、３ｂに与えていた力を解除することにより端縁４ａ、４ｂが矢印６ａ、６ｂと反対の方向にそれぞれ移動して初期状態に戻る際、毛抜き１１の弾性力が発揮される。
【００２２】
本発明の毛抜き１１においては、挟持片３ａ、３ｂの途中に肉薄部１０ａ、１０ｂが形成されていることによって前述した弾性力が発揮されている。
【００２３】
一方、上述したように、本発明の毛抜き１１においては、屈曲部２の肉厚Ｗ１の大きさが、屈曲部２以外の部分における一対の挟持片３ａ、３ｂの肉厚Ｗ２の大きさと同じまたはそれ以上になっている（図２（ａ）、（ｂ）、図３（ｂ））。
【００２４】
そこで、使用時に、上述したように、指で挟持片３ａ、３ｂを摘まんで、図３（ｂ）に図示されているように、端縁４ａ、４ｂを矢印６ａ、６ｂ方向に接近させ、両者の間に抜き取るべき無駄毛などを挟む動作を行なう際に、端縁４ａ、４ｂが屈曲部２を支点にして、矢印７ａ、７ｂで示す上下方向にズレることが無くなる。
【００２５】
これによって、使用する際に、挟持面５ａ、５ｂが形成されている側の端縁４ａ、４ｂが挟持片３ａ、３ｂが延びる長手方向に交差する上下方向（矢印７ａ、７ｂ）にズレることが無くなる。そこで、このズレによって目的とする無駄毛などをうまく挟めなくなるという事態が発生することがなくなる。
【００２６】
図１図示のような従来の毛抜き１では、上述した弾性力を発揮させるため、屈曲部２の肉厚Ｗ１を、屈曲部２以外の部分における挟持片３ａ、３ｂの肉厚Ｗ２より小さくしていた。そこで、指で挟持片３ａ、３ｂを摘まんで端縁４ａ、４ｂを矢印６ａ、６ｂ方向に接近させようとすると、屈曲部２が肉薄であることから、端縁４ａ、４ｂが挟持片３ａ、３ｂが延びる長手方向に交差する上下方向（矢印７ａ、７ｂ）にズレてしまうことがあった。このため、挟持面５ａ、５ｂで目的とする無駄毛などをうまく挟めなくなるという問題があった。
【００２７】
本発明の毛抜き１１では、長手方向に延びている挟持片３ａ、３ｂの途中に肉薄部１０ａ、１０ｂが形成されていて、これによって、毛抜き１１を使用する際に要求される弾性力が確保される。このため、屈曲部２を肉薄にして弾性力を確保する必要がない。そこで、屈曲部２の肉厚Ｗ１の大きさを屈曲部２以外の部分における挟持片３ａ、３ｂの肉厚Ｗ２の大きさと同じまたはそれ以上にする事が可能になる。こうして、本発明の毛抜き１１では、使用する際に、挟持面５ａ、５ｂが形成されている側の端縁４ａ、４ｂが挟持片３ａ、３ｂが延びる長手方向に交差する上下方向（矢印７ａ、７ｂ）にズレることを無くしたのである。
【００２８】
なお、本発明においては、毛抜き１１を使用する際に要求される弾性力を発揮させるため、上述したように、長手方向に延びる挟持片３ａ、３ｂの途中に肉薄部１０ａ、１０ｂを形成している。そこで、本発明において、屈曲部２の肉厚Ｗ１の大きさを屈曲部２以外の部分における挟持片３ａ、３ｂの肉厚Ｗ２の大きさと同じまたはそれ以上にしているとは、屈曲部２の肉厚Ｗ１が、肉薄部１０ａ、１０ｂ以外の部分における挟持片３ａ、３ｂの肉厚Ｗ２と同じまたはそれ以上であることを意味している。例えば、屈曲部２の肉厚Ｗ１が、少なくとも、屈曲部２近傍の挟持片３ａ、３ｂの肉厚Ｗ２と同じまたはそれ以上である構造などがこの条件を満たすことになる。
【００２９】
本発明の毛抜き１１においては、更に、挟持面５ａ、５ｂが形成されている一対の挟持片３ａ、３ｂのそれぞれの端縁４ａ、４ｂの、挟持片３ａ、３ｂが延びる長手方向に交差する方向における少なくともどちらか一方の頂端が面取りされている。
【００３０】
図示の実施形態の毛抜き１１は、図２（ａ）図示の状態で、人が指で挟持片３ａ、３ｂを摘まんで使用する。そこで、この際に下側になる頂点８ａ、８ｂが面取りされている。
【００３１】
この結果、本発明の毛抜き１１によれば、面取りされた面でとりにくい場所にある無駄毛を簡単に抜くことが可能になる。また、無駄毛などを抜く際に皮膚を傷つけるおそれがなくなる。
【００３２】
なお、頂点８ａ、８ｂに対向する頂点９ａ、９ｂも面取りされている構造にすることができる。
【００３３】
本発明の毛抜き１１は一般的に金属製であるが、上述した弾性力、毛抜き動作に必要な機能を発揮できる部材であれば、金属以外の種々の材料により製作することができる。
【００３４】
以上、添付図面を参照して本発明の好ましい実施形態を説明したが、本発明はこれらに限定されるものではなく、特許請求の範囲の記載から把握される技術的範囲において種々の形態に変更可能である。
【符号の説明】
【００３５】
１  毛抜き
２  屈曲部
３ａ、３ｂ  挟持片
４ａ、４ｂ  端縁
５ａ、５ｂ  挟持面
８ａ、８ｂ、９ａ、９ｂ  頂点
１０ａ、１０ｂ  肉薄部
１１  毛抜き
【図１】
2012004885.tif 000003
【図２】
2012004885.tif 000004
【図３】
2012004885.tif 000005
【図４】
2012004885.tif 000006
【手続補正書】
【提出日】平成24年7月10日(2012.7.10)
【手続補正１】
【補正対象書類名】特許請求の範囲
【補正対象項目名】全文
【補正方法】変更
【補正の内容】
【特許請求の範囲】
【請求項１】
屈曲部で折り曲げられて長手方向に延び、互いに対向する板状の一対の挟持片から構成されており、当該挟持片の屈曲部に対向する側の端縁にそれぞれ挟持面が対向して形成されている毛抜きにおいて、
前記屈曲部の肉厚の大きさが、前記屈曲部以外の部分における前記一対の挟持片の肉厚の大きさと同じまたはそれ以上であって、
前記一対の挟持片は、前記屈曲部と前記挟持面が形成されている端縁との間に肉厚が薄くなっている肉薄部をそれぞれ備えている
ことを特徴とする毛抜き。
【請求項２】
前記挟持面が形成されている前記一対の挟持片のそれぞれの端縁の、前記長手方向に交差する方向における少なくともどちらか一方の頂端が面取りされている
ことを特徴とする請求項１記載の毛抜き。
【国際調査報告】
2012004885.tif 000007
2012004885.tif 000008
2012004885.tif 000009
2012004885.tif 000010